(57)【要約】      （修正有）【課題】植物の植え方を選択できるプランターを提供する。【解決手段】ケース体１１と、ケース体１１の内側に移植部を形成するための仕切部材１２とを備え、仕切部材１２は植木鉢に植物を植えたまま移植できる第１移植部１２ａと、第１移植部１２ａの下側に土壌２を入れ替えて移植するための第２移植部１２ｂとを有するプランター１０。【選択図】図１
2020110102.tif 000002
【特許請求の範囲】
【請求項１】
ケース体と、前記ケース体の内側に移植部を形成するための仕切部材とを備え、
前記仕切部材は植木鉢に植物を植えたまま移植できる第１移植部と、前記第１移植部の下側に土壌を入れ替えて移植するための第２移植部とを有することを特徴とするプランター。
【請求項２】
前記第１移植部に移植する場合は下側から水を吸い上げるための吸水部材を取り付けることが可能になっていることを特徴とする請求項１記載のプランター。
【請求項３】
前記第１及び第２移植部は仕切部材を前記ケース体の内側に自立できる脚部となっていることを特徴とする請求項１又は２記載のプランター。
【請求項４】
前記第２移植部は前記ケース体内から水を給水するための導水部を有していることを特徴とする請求項１〜３のいずれかに記載のプランター。
【発明の詳細な説明】
【技術分野】
【０００１】
本発明は、植物を育てる際に用いられるプランターに関し、特に色々な植物の育て方に適用できるプランターに係る。
【背景技術】
【０００２】
植物をプランターにて育てる場合に、プランターに土壌を入れて種子を蒔き、種子から育てる他に、いわゆるポリポット等と称される軟質のプラスチック製、例えば塩化ビニール製の植木鉢（ポット）にて育てた苗をプランターに植え替えることも行われている。
【０００３】
例えば特許文献１には、給水マット付の植物トレイに設けたポケットに、植物を植えた鉢を入れる底面給水プランターを開示する。
しかし、これでは鉢から植物を取り出して植え替えることができない。
特許文献２に開示する植木鉢を利用するプランターや、特許文献３に開示するカートリッジ型プランターも植木鉢を利用することができるものの、それ以外の移植に対応できない課題を抱えている。
【先行技術文献】
【特許文献】
【０００４】
【特許文献１】特開２００３−９６８７号公報
【特許文献２】特許第３０３７９０５号公報
【特許文献３】実開平２−３６９４７号公報
【発明の概要】
【発明が解決しようとする課題】
【０００５】
本発明は、植物の植え方を選択できるプランターの提供を目的とする。
【課題を解決するための手段】
【０００６】
本発明に係るプランターは、ケース体と、前記ケース体の内側に移植部を形成するための仕切部材とを備え、前記仕切部材は植木鉢に植物を植えたまま移植できる第１移植部と、前記第１移植部の下側に土壌を入れ替えて移植するための第２移植部とを有することを特徴とする。
【０００７】
ここで植木鉢とは、苗等を育てるのに用いられた植木鉢をいい、軟質プラスチック製のいわゆるポリポット等と称されるポットが例として挙げられる。
本発明において第１移植部は、上記ポット等に植えて育てた植物をこのポットに植えたまま、ポットごと移し替えることができる部分をいう。
従って第１移植部は、ポットの形状に合せた内側形状になっているのが好ましい。
ポリポットには、逆さ円錐台形状，逆さ四角錐台形状等のものが広く使用されているが、第１移植部の内側形状をそれらに合せると、育苗に用いたポリポットをそのまま第１移植部に移し替えることができ、安定的に保持できる。
【０００８】
本発明において第２移植部は、ポット（植木鉢）から苗等の植物を抜き出して、本発明に係るプランターに植え替え移植するのに土壌を入れる部分をいい、この第２移植部は前記第１移植部の下側に位置することから、この場合には第１移植部にも必要な量の土壌を入れることができる。
また、下側に位置する第２移植部と、その上側に位置する第１移植部との間には、第１移植部にポットを入れた場合にそれ以上、下側に下がらないような構造になっていれば、その構造に制限はない。
例えば、ポットが載る段差状の載置部を形成する。
第１移植部と第２移植部の境にポットを支持する突起部を有する。
さらには、第１移植部と第２移植部とは一体的に成形され、その境界部に納まるリングを別部品として挿入する方法等が考えられる。
【０００９】
本発明において、第１移植部に移植する場合は、下側から水を吸い上げるための吸水部材を取り付けることが可能になっていてもよい。
第１移植部に、植物を植えたポットごと挿入した場合に、その下側の第２移植部が空間のままになったとしても、このように吸水部材を取り付けることで、必要な水を吸い上げることができる。
吸水部材は、毛細管現象により水を吸い上げることができれば、材質や構造に制限はない。
例えば、帯状の不織布を垂下してもよい。
【００１０】
本発明において、第１及び第２移植部は仕切部材を前記ケース体の内側に自立できる脚部となっていてもよい。
このようにすると、第１及び第２移植部を有する脚部で、この仕切部材を自立させることができ、ケース体に仕切部材を支持又は保持する構造を設ける必要がなくなり、既存の各種プランターを本発明に係るケース体として用いることができる。
また、仕切部材をケース体から抜き取り、ケース体に直接土壌を入れて植物を移植することもできる。
なお、この第１及び第２移植部を脚部として用いない場合には、第２移植部の先端がケース体の底部から離れた状態になるので、ケース体の内側に仕切部材を保持するための段差部や支持部材を設けるとよい。
【００１１】
本発明において、第２移植部は前記ケース体内から水を給水するための導水部を有しているのが好ましい。
このようにすると、第１移植部にポットを置いた場合に吸水部材を介して、この第２移植部に導水された水を吸い上げることができ、第２移植部に土壌を入れて植物を移植した場合に、この導水部から第２移植部の内部の土壌に水を導くことができる。
導水部は、孔形状でもスリット形状でもよい。
【発明の効果】
【００１２】
本発明に係るプランターは、ケース体の内側に仕切部材を配置するとともに、この仕切部材に上部側の第１移植部と、その下側の第２移植部を２段にして設けたので、第１移植部を用いて植物を植えたままポットごと移植することと、その下側の第２移植部と第１移植部に必要な量の土壌を入れてポットから植物を抜き取り、新たに植え替えすることを選択できる。
【図面の簡単な説明】
【００１３】
【図１】（ａ）は植物をポットごと移植した例、（ｂ）は新たに土壌を入れて移植した例を示す。
【図２】ポットごと第１移植部に移す際の分解図を示す。
【図３】プランター全体の構成例を示す。（ａ）は分解図、（ｂ）は組立図を示す。
【図４】仕切部材の実施例２を示す。
【図５】仕切部材の実施例３を示す。
【図６】実施例１の仕切部材の正面図，平面図，底面図，左右側面図を示す。
【図７】実施例２の仕切部材の正面図，平面図，底面図，左右側面図を示す。
【図８】実施例３の仕切部材の正面図，平面図，底面図，左右側面図を示す。
【図９】実施例４の仕切部材の正面図，平面図，底面図，左右側面図を示す。
【発明を実施するための形態】
【００１４】
本発明に係るプランターの構造例を図に基づいて説明する。
図１（ａ）に植物をポットごとプランターに移植した例を示し、図１（ｂ）は新たに土壌を入れ、植物をポットから抜き取り移植した例を示す。
図２は、ポット２０ごと移植する場合の分解図を示す。
【００１５】
本発明に係るプランター１０は、図３に実施例１として全体図を示すように、プランターの外形を形成するケース体１１と、その内側に設置する仕切部材１２を有する。
ケース体１１は、通常の一般プランターを用いることもできる。
仕切部材１２は、肉厚の薄い樹脂材からなり、図２に示すようにプレート状の基部１２ｅから下側に、第１移植部１２ａと第２移植部１２ｂを突設してあり、必要に応じて図１（ｂ）に示すように補強のためのリブ１２ｇを有してもよい。
本実施例は、市販されているポット形状に合せた第１移植部１２ａと、その下側に段差状の載置部１２ｃを介して、第１移植部１２ａの内径より小さい内径の第２移植部１２ｂを下側に突設した例になっている。
第２移植部１２ｂは、スリット状の導水部１２ｄを設けてある。
この第１移植部１２ａ及び第２移植部１２ｂは、基部１２ｅから複数設けてあり、仕切部材１２をケース体１１の内側に入れると、先端部がケース体１１の内側底部１１ｂに当接し、そのまま自立できる脚部としても作用する。
ケース体１１には、水を注入すると、所定以上の量が溜まらないように水位孔１１ａを有している。
これにより、水１の水位は第１移植部１２ａの下端よりも下側に位置するようになっている。
【００１６】
本発明に係るプランターの使用例を図１にて説明する。
図１（ａ）は、ポリポット等のポット（植木鉢）２０に苗等の植物を植えたまま、このポット２０を第１移植部に挿入するようにして、段差状の載置部１２ｃに置くだけで、プランターに移植する例を示す。
この場合には、根腐れを防止しつつ、植物に水を与えるのに載置部１２ｃに吸水部材３０を敷く。
吸水部材３０は、不織布等の吸水片３１を垂下させてあり、この吸水片３１が周囲の水を吸い上げ、ポット２０の底部に設けられている孔２１を介して、水が吸い上げられる。
市販されているポットの形状には、図３に示すような逆さ円錐台形状のものや、図４に示すように逆さ四角錐台形状のものがあるので第１移植部１２ａの形状は、これらに合せてあるのが好ましい。
なお、吸水片３１は第２移植部１２ｂ内に垂下すれば、第２移植部１２ｂに設けた導水部１２ｄを介して水が供給される。
【００１７】
図１（ｂ）は、第２移植部１２ｂ及び第１移植部１２ａに土壌２を入れ、植物をポットから抜き取り、新たに植え替えた例を示す。
この場合に、第２移植部１２ｂにだけ土壌を入れ、第１移植部１２ａには植物が植えられていたポット内の土壌とともにポットから抜き取り、移すこともできる。
必要に応じて、土壌を追加できる。
また、第２移植部１２ｂに設けられていたスリット状の導水部１２ｄから土壌側に水が供給される。
【００１８】
本発明に係るプランターは、色々な形状のものをケース体として使用でき、例えば図３，５にその例を示し、これらの形状に合せて１つ又は２つ以上の仕切部材を設置することができる。
仕切部材のコーナー部には、ケース体への注水口１２ｆを設けるとよい。
本発明に係るプランターに用いる仕切部材の例を図６〜図９に示し、それぞれ正面図，平面図，底面図，左右側面図で示した。
図６は実施例１、図７は実施例２、図８は実施例３、図９は実施例４を示す。
なお、第１及び第２移植部からなる脚部は、本実施例に示す４つに限らず、１つ以上あればよく、その高さもケース体に合わせて設定できる。
【符号の説明】
【００１９】
１        水
２        土壌
１０      プランター
１１      ケース体
１１ａ    水位孔
１２      仕切部材
１２ａ    第１移植部
１２ｂ    第２移植部
１２ｃ    載置部
１２ｄ    導水部
２０      ポット
３０      吸水部材
【図１】
2020110102.tif 000003
【図２】
2020110102.tif 000004
【図３】
2020110102.tif 000005
【図４】
2020110102.tif 000006
【図５】
2020110102.tif 000007
【図６】
2020110102.tif 000008
【図７】
2020110102.tif 000009
【図８】
2020110102.tif 000010
【図９】
2020110102.tif 000011